(57)【要約】  ＡＶ出力機器である携帯電話機において映像信号をＡＶ入力機器であるＴＶに出力している際に（Ｓ１０）、通話の着信があると（Ｓ１２）、その処理として（Ｓ１４）、通話の着信があったことを報知するコマンドをＴＶに送信した上で映像信号の出力を停止する（Ｓ１６）。ＴＶではその理由が表示される（Ｓ５２）。携帯電話機において通話が終了すると（Ｓ２０）、その旨を報知するコマンドをＴＶに対して送信すると共に、映像信号の出力を再開する。これによりＴＶでは報知する画面が停止し（Ｓ５６）、映像の再生が再開される（Ｓ５８）。
2011138884.tif 000002
【特許請求の範囲】
【請求項１】
ＡＶ出力機器とＡＶ入力機器とを含むＡＶ出力システムであって、
前記ＡＶ出力機器から前記ＡＶ入力機器に対して映像信号と制御信号とを出力するための出力部と、
前記ＡＶ入力機器で前記映像信号を再生して出力するための再生部と、
前記ＡＶ出力機器で所定のイベントの発生を検出すると、前記ＡＶ出力機器から前記ＡＶ入力機器に対する前記映像信号の出力を停止すると共に前記イベントの発生に対応した制御信号を前記ＡＶ入力機器に対して出力するための第１の制御部と、
前記ＡＶ入力機器で前記イベントの発生に対応した制御信号を受信すると、予め記憶されている前記制御信号に対応した情報を用いて報知するための報知部とを備える、ＡＶ出力システム。
【請求項２】
前記ＡＶ入力機器の表示器に表示を行なうための第２の制御部をさらに備え、
前記第２の制御部は、前記再生部において前記映像信号を再生して得られる画面を前記表示器に表示させる処理中に前記イベントの発生に対応した制御信号を受信すると、前記イベントの発生に対応した制御信号に応じて当該制御信号に対応した表示を前記表示器に表示させる、請求項１に記載のＡＶ出力システム。
【請求項３】
前記第１の制御部は、前記イベントの発生に対応した制御信号を前記ＡＶ出力機器から前記ＡＶ入力機器に対して出力した後、前記ＡＶ出力機器の前記ＡＶ入力機器に対する映像出力を停止させる、請求項１に記載のＡＶ出力システム。
【請求項４】
前記報知部は、前記イベントの発生に対応した制御信号に応じた報知を前記映像信号の再生の停止の後も行なう、請求項１に記載のＡＶ出力システム。
【請求項５】
前記第１の制御部は、前記ＡＶ出力機器で前記イベントの処理が完了すると、前記イベントの処理の完了に対応した制御信号を前記ＡＶ出力機器から前記ＡＶ入力機器に対して出力し、
前記報知部は、前記ＡＶ入力機器で前記イベントの処理の完了に対応した制御信号を受信すると前記報知を終了する、請求項１に記載のＡＶ出力システム。
【請求項６】
前記イベントは、前記ＡＶ出力機器のユーザ操作を要さずに開始する処理である、請求項１に記載のＡＶ出力システム。
【請求項７】
ＡＶ入力機器に対して映像信号を出力するための第１の出力部と、
前記ＡＶ入力機器に対して制御信号を出力するための第２の出力部と、
イベントを処理するための処理部と、
前記第１の出力部での出力および前記第２の出力部での出力を制御するための制御部とを備え、
前記制御部は、
前記第１の出力部で前記ＡＶ入力機器に対して前記映像信号を出力する第１の制御と、
前記第１の制御の実行中に前記イベントの発生が検出されると、前記第１の制御の実行を停止すると共に前記第２の出力部で前記イベントの発生に対応した制御信号を前記ＡＶ入力機器に対して出力する第２の制御とを実行する、ＡＶ出力機器。
【請求項８】
前記制御部は、前記処理部での前記イベントの処理が完了すると前記イベントの処理の完了に対応した制御信号を前記ＡＶ入力機器に対して出力し、前記停止した前記第１の制御を再開する、請求項７に記載のＡＶ出力機器。
【請求項９】
前記イベントは、前記ＡＶ出力機器のユーザ操作を要さずに開始する処理である、請求項７または８に記載のＡＶ出力機器。
【請求項１０】
ＡＶ出力機器から送信される信号を受信するための受信部と、
前記ＡＶ出力機器から受信した制御信号に応じた処理を行なうための制御部と、
前記処理に用いるデータを記憶するためのメモリとを備え、
前記制御部は、
前記ＡＶ出力機器から受信した映像信号を再生して表示器に出力する第１の制御と、
前記第１の制御を実行中に前記ＡＶ出力機器から所定のイベントの発生に対応した制御信号を受信すると、前記制御信号に対応付けて前記メモリに記憶されているデータを用いて報知する第２の制御とを実行する、ＡＶ入力機器。
【請求項１１】
前記制御部は、前記第２の制御を実行した後に前記ＡＶ出力機器から前記所定のイベントの処理の完了に対応した制御信号を受信すると、前記報知を終了する、請求項１０に記載のＡＶ入力機器。
【請求項１２】
ＡＶ出力機器とＡＶ入力機器とを含むＡＶ出力システムでの報知方法であって、
前記ＡＶ出力機器から前記ＡＶ入力機器に対して映像信号と制御信号とを出力するステップと、
前記ＡＶ入力機器で前記映像信号を再生して出力するステップと、
前記ＡＶ出力機器で所定のイベントの発生を検出すると、前記ＡＶ出力機器から前記ＡＶ入力機器に対する前記映像信号の出力を停止すると共に前記イベントの発生に対応した制御信号を前記ＡＶ入力機器に対して出力するステップと、
前記ＡＶ入力機器で前記イベントの発生に対応した制御信号を受信すると、予め記憶されている前記制御信号に対応した情報を用いて報知するステップとを備える、報知方法。
【発明の詳細な説明】
【技術分野】
【０００１】
この発明はＡＶ出力システム、ＡＶ出力機器およびＡＶ入力機器に関し、特に、ＡＶ出力機器とＡＶ入力機器とを接続して映像出力を行なうＡＶ出力システムおよび当該システムに用いるＡＶ出力機器およびＡＶ入力機器に関する。
【背景技術】
【０００２】
たとえば特開２００５−２８７０１３号公報（特許文献１）などにおいて、従来、携帯電話機とテレビジョン受像機（以下、ＴＶともいう）とがアナログ接続され、これらの間で通信を行なうことによって携帯電話機からＴＶに対して映像信号を送信し、ＴＶ側で映像を再生するＡＶ出力システムが提案されている。
【先行技術文献】
【特許文献】
【０００３】
【特許文献１】特開２００５−２８７０１３号公報
【発明の概要】
【発明が解決しようとする課題】
【０００４】
しかしながら、このようなＡＶ出力システムでは、携帯電話機で電話着信が発生したときなどのＴＶに対して映像信号が出力できない割込みイベントが発生すると、ＴＶ側では映像の再生が停止してしまう。このとき携帯電話機のディスプレイにはたとえば電話着信などによってイベントの発生が報知されるが、ＴＶ側では映像の再生が突然停止するため、ＴＶを視聴しているユーザには再生が停止した理由がわからない、という問題があった。【０００５】
本発明はこのような問題に鑑みてなされたものであって、ユーザの使い勝手のよいＡＶ出力システム、ＡＶ出力機器およびＡＶ入力機器を提供することを目的としている。
【課題を解決するための手段】
【０００６】
上記目的を達成するために、本発明のある局面に従うと、ＡＶ出力システムはＡＶ出力機器とＡＶ入力機器とを含み、ＡＶ出力機器からＡＶ入力機器に対して映像信号と制御信号とを出力するための出力部と、ＡＶ入力機器で映像信号を再生して出力するための再生部と、ＡＶ出力機器で所定のイベントの発生を検出すると、ＡＶ出力機器からＡＶ入力機器に対する映像信号の出力を停止すると共にイベントの発生に対応した制御信号をＡＶ入力機器に対して出力するための第１の制御部と、ＡＶ入力機器でイベントの発生に対応した制御信号を受信すると、予め記憶されている制御信号に対応した情報を用いて報知するための報知部とを備える。【０００７】
好ましくは、ＡＶ出力システムは、ＡＶ入力機器の表示器に表示を行なうための第２の制御部をさらに備え、第２の制御部は、再生部において映像信号を再生して得られる画面を表示器に表示させる処理中にイベントの発生に対応した制御信号を受信すると、イベントの発生に対応した制御信号に応じて当該制御信号に対応した表示を表示器に表示させる。【０００８】
好ましくは、第１の制御部は、イベントの発生に対応した制御信号をＡＶ出力機器からＡＶ入力機器に対して出力した後、ＡＶ出力機器のＡＶ入力機器に対する映像出力を停止させる。【０００９】
好ましくは、報知部は、イベントの発生に対応した制御信号に応じた報知を映像信号の再生の停止の後も行なう。【００１０】
好ましくは、第１の制御部は、ＡＶ出力機器でイベントの処理が完了すると、イベントの処理の完了に対応した制御信号をＡＶ出力機器からＡＶ入力機器に対して出力し、報知部は、ＡＶ入力機器でイベントの処理の完了に対応した制御信号を受信すると報知を終了する。【００１１】
好ましくは、イベントは、ＡＶ出力機器のユーザ操作を要さずに開始する処理である。
本発明の他の局面に従うと、ＡＶ出力機器は、ＡＶ入力機器に対して映像信号を出力するための第１の出力部と、ＡＶ入力機器に対して制御信号を出力するための第２の出力部と、イベントを処理するための処理部と、第１の出力部での出力および第２の出力部での出力を制御するための制御部とを備える。制御部は、第１の出力部でＡＶ入力機器に対して映像信号を出力する第１の制御と、第１の制御の実行中にイベントの発生が検出されると、第１の制御の実行を停止すると共に第２の出力部でイベントの発生に対応した制御信号をＡＶ入力機器に対して出力する第２の制御とを実行する。【００１２】
好ましくは、制御部は、処理部でのイベントの処理が完了するとイベントの処理の完了に対応した制御信号をＡＶ入力機器に対して出力し、停止した第１の制御を再開する。【００１３】
好ましくは、イベントは、ＡＶ出力機器のユーザ操作を要さずに開始する処理である。
本発明のさらに他の局面に従うと、ＡＶ入力機器は、ＡＶ出力機器から送信される信号を受信するための受信部と、ＡＶ出力機器から受信した制御信号に応じた処理を行なうための制御部と、上記処理に用いるデータを記憶するためのメモリとを備える。制御部は、ＡＶ出力機器から受信した映像信号を再生して表示器に出力する第１の制御と、第１の制御を実行中にＡＶ出力機器から所定のイベントの発生に対応した制御信号を受信すると、制御信号に対応付けてメモリに記憶されているデータを用いて報知する第２の制御とを実行する。【００１４】
好ましくは、制御部は、第２の制御を実行した後にＡＶ出力機器から所定のイベントの処理の完了に対応した制御信号を受信すると、報知を終了する。【００１５】
本発明のさらに他の局面に従うと、報知方法はＡＶ出力機器とＡＶ入力機器とを含むＡＶ出力システムでの報知方法であって、ＡＶ出力機器からＡＶ入力機器に対して映像信号と制御信号とを出力するステップと、ＡＶ入力機器で映像信号を再生して出力するステップと、ＡＶ出力機器で所定のイベントの発生を検出すると、ＡＶ出力機器からＡＶ入力機器に対する映像信号の出力を停止すると共にイベントの発生に対応した制御信号をＡＶ入力機器に対して出力するステップと、ＡＶ入力機器でイベントの発生に対応した制御信号を受信すると、予め記憶されている制御信号に対応した情報を用いて報知するステップとを備える。
【発明の効果】
【００１６】
この発明によると、携帯電話機からの映像信号の出力が停止されてテレビジョン受像機での再生が中断した場合、ユーザは、テレビジョン受像機の出力でその理由を明快に理解することができる。また、必要に応じて、携帯電話機に迅速かつ適切に対処することが可能となる。
【図面の簡単な説明】
【００１７】
【図１】本実施の形態にかかるＡＶ出力システムの構成の具体例を示す図である。
【図２】本実施の形態にかかるＡＶ出力システムに含まれる携帯電話機の機能の構成の具体例を示すブロック図である。
【図３】本実施の形態にかかるＡＶ出力システムに含まれるＴＶの機能の構成の具体例を示すブロック図である。
【図４】本実施の形態にかかるＡＶ出力システムでの処理の流れの具体例を示す図である。
【図５】本実施の形態にかかるＡＶ出力システムの構成の他の具体例を示す図である。
【発明を実施するための形態】
【００１８】
以下に、図面を参照しつつ、本発明の実施の形態について説明する。以下の説明では、同一の部品および構成要素には同一の符号を付してある。それらの名称および機能も同じである。
【００１９】
図１は、本実施の形態にかかるＡＶ出力システムの構成の具体例を示す図である。図１を参照して、本実施の形態にかかるＡＶ出力システムは、ＡＶ出力機器としての携帯電話機１と、ＡＶ入力機器としてのテレビジョン受像機（以下、ＴＶと略する）３とを含み、これらが通信可能に接続されている。
【００２０】
ＡＶ出力機器は携帯電話機に限定されず、リモコン操作などのユーザ操作も含めた割込処理が発生する映像出力機器であれば他のどのような機器であってもよい。携帯電話機の他のＡＶ出力機器の例としては、たとえば、固定テレビ電話、ゲーム機、映像プレーヤ、ハードディスクレコーダ、ＰＣ（パーソナルコンピュータ）、電子書籍端末などの映像出力機器が挙げられる。また、後述するように「映像」は音声を含んでいてもよいため、ＡＶ出力機器としては、固定電話やオーディオ機器など、音声のみ出力する機器であってもよい。
【００２１】
また同様に、ＡＶ入力機器はＴＶに限定されず、映像信号や音声信号と共に制御信号を受信できる表示装置であれば他のどのような機器であってもよい。ＴＶの他のＡＶ入力機器の例としては、たとえば、ＰＣ用のディスプレイであってもよいし、表示装置に接続して用いられるハードディスクレコーダのような映像入力と映像出力とを備えた機器であってもよい。
【００２２】
携帯電話機１とＴＶ３との通信は、第１の通信回路として携帯電話機１からＴＶ３へ映像信号を送信するための通信回路５Ａと、第２の通信回路として携帯電話機１からＴＶ３へ制御信号（コマンド）を送信するための通信回路５Ｂとを含む。通信回路５Ａでの通信技術の一例として、たとえばＨＤＭＩ（High-Definition  Multimedia  Interface）（登録商標）を利用した通信技術や無線ＬＡＮ（Local  Area  Network）技術、赤外線通信技術、可視光通信技術などが挙げられる。また、通信回路５Ｂでの通信技術の一例として、ＨＤＭＩ（登録商標）を利用した通信技術や無線ＬＡＮ技術、Ｂｌｕｅｔｏｏｔｈ（登録商標）などが挙げられる。
【００２３】
なお、本例では携帯電話機１がコマンドと映像信号とを異なる通信回路で、異なる通信方式でＴＶ３に対して出力するものとしている。しかしながら、これらは同一の通信回路を利用して同一の通信方式で出力されても構わない。
【００２４】
携帯電話機１からＴＶ３に対して出力される映像信号は、動画や静止画などの映像のみであってもよいし、映像と音声とであってもよいし、音声のみであってもよい。
【００２５】
携帯電話機１はＴＶ３に映像出力を実行させるときには、映像信号を通信回路５ＡでＴＶ３に対して出力し、映像信号を再生させるための制御信号を通信回路５ＢでＴＶ３に対して出力する。通信回路５ＢがＨＤＭＩを利用した通信回路である場合、携帯電話機１はＣＥＣ（Consumer  Electronics  Control）規格を利用してコマンドを送信する。
【００２６】
図２は、携帯電話機１の機能の構成の具体例を示すブロック図である。図２を参照して、携帯電話機１は、図示しないＣＰＵ（Central  Processing  Unit）を含んでメモリに記憶されるプログラムを実行することで全体を制御するための制御部１００と、数字ボタンなどの操作入力を受け付けるための機構である入力部１１０と、アラーム音を出力したりバイブレーション動作をしたりするための構成である鳴動部１２０と、通話やメールの送受信を行なうための構成である通信部１３０と、制御信号（コマンド）を通信回路５Ｂで出力するための構成である制御信号出力部１４０と、映像信号を通信回路５Ａで出力するための構成である映像信号出力部１５０と、液晶ディスプレイなどである表示部１６０とを含む。これらはいずれもハードウェアによって実現されるものであってもよいし、少なくとも一部がソフトウェアで実現されるものであってもよい。
【００２７】
さらに、制御部１００は、ＴＶ３に映像出力を実行させるための機能および表示部１６０での表示を制御するための機能としての情報出力制御部１０１と、通信部１３０での通話やメールの送受信を制御するための通信制御部１０２と、スケジュール管理やアラーム管理を行なって鳴動部１２０での鳴動を制御するためのアラーム制御部１０３と、図示しないメモリから予め記憶されている映像信号を読み込むための読込部１０４とを含む。これらは、制御部１００の図示しないＣＰＵがメモリに記憶されるプログラムを実行することによってソフトウェアで実現されるものであってもよいし、少なくとも一部がハードウェアで実現されるものであってもよい。
【００２８】
情報出力制御部１０１は、携帯電話機１とＴＶ３との通信が確立すると制御信号出力部１４０での出力を待機状態として、入力部１１０で操作入力を受け付けるまで待機する。
【００２９】
入力部１１０が表示部１６０で映像信号の再生を行なわせることを指示する操作入力を受け付けた場合には、情報出力制御部１０１は、読込部１０４で図示しないメモリから指定された映像信号を読み込ませて、表示部１６０で表示させる。映像信号に音声が含まれる場合には、図示しないスピーカから音声を出力させる。
【００３０】
入力部１１０で受け付けた操作入力がＴＶ３で映像信号を再生させることを指示するものである場合には、情報出力制御部１０１は、読込部１０４で図示しないメモリから指定された映像信号を読み込ませて、映像信号出力部１５０に出力させる。このとき、同時に表示部１６０で表示させてもよい。
【００３１】
入力部１１０で受け付けた操作入力が、たとえば動画の再生であるような、ＴＶ３での連続した映像の再生を指示するものである場合、情報出力制御部１０１は、指定された映像信号を所定のデータサイズごとに連続して映像信号出力部１５０に出力させる。
【００３２】
ここで、携帯電話機１においてイベントが発生すると、携帯電話機１では表示部１６０に報知画面が表示される。対象とするイベントは開始時にユーザの操作が要求される処理を指し、その発生の具体例としては通話着信やアラーム時刻の検出などが挙げられる。そのため、上述のような連続した映像の再生をＴＶ３で行なっている最中にかかるイベントが発生すると携帯電話機１からＴＶ３への映像信号の送信が停止されることになる。そこで、本実施の形態にかかる携帯電話機１では、このようなイベントの発生により映像信号の送信を停止する際に、その理由を示したコマンドをＴＶ３に対して送信する。
【００３３】
すなわち、通信制御部１０２やアラーム制御部１０３は、予め規定されている映像信号の送信を停止するイベントが発生したときに、その旨を示す信号を情報出力制御部１０１に対して出力する。情報出力制御部１０１は映像信号の出力中にその信号を受け付けると、映像信号出力部１５０からの映像信号の出力を停止させ、表示部１６０に報知画面を表示させる。また、制御信号出力部１４０に、予め規定されているイベントの発生を通知するためのコマンドを送信させた後、制御信号出力部１４０での出力状態を待機状態または停止（ＯＦＦ）状態に移行させる。
【００３４】
なお、図２は、本実施の形態にかかる機能を説明するために携帯電話機の機能を簡略化したものである。したがって、携帯電話機１は、たとえばカメラなどの、図２に表わされた以外の機能を含んでいてもよい。
【００３５】
図３は、ＴＶ３の機能の構成の具体例を示すブロック図である。図３を参照して、ＴＶ３は、図示しないＣＰＵを含んでメモリに記憶されるプログラムを実行することで全体を制御するための制御部３００と、通信回路５Ｂで送信された制御信号（コマンド）の入力を受け付けるための構成である制御信号入力部３１０と、通信回路５Ａで送信された映像信号の入力を受け付けるための構成である映像信号入力部３２０と、アンテナなどを含んでＴＶ信号を受信するためのＴＶ信号受信部３３０と、液晶ディスプレイやスピーカなどである出力部３４０と、入力ボタンやリモコン受信部などの操作入力を受け付けるための構成である入力部３５０とを含む。これらはいずれもハードウェアによって実現されるものであってもよいし、少なくとも一部がソフトウェアで実現されるものであってもよい。
【００３６】
さらに、制御部３００は、出力部３４０に携帯電話機１からの映像信号に基づいた映像出力を実行させるための機能としての情報出力制御部３０１と、出力部３４０にＴＶ信号に基づいた映像出力を実行させるための機能としてのＴＶ出力制御部３０２とを含む。これらは、制御部３００の図示しないＣＰＵがメモリに記憶されるプログラムを実行することによってソフトウェアで実現されるものであってもよいし、少なくとも一部がハードウェアで実現されるものであってもよい。
【００３７】
情報出力制御部３０１は、入力部３５０でＴＶ信号の再生を指示する操作入力を受け付けると、ＴＶ信号受信部３３０で受信したＴＶ信号を再生し、出力部３４０で出力させる。
【００３８】
情報出力制御部３０１は、携帯電話機１からのコマンドごとに実行する処理を記憶しておき、コマンドを受信すると、対応した処理を行なう。
【００３９】
すなわち、映像信号入力部３２０で携帯電話機１からの映像信号を受け付けると、情報出力制御部３０１は、受け付けた映像信号を再生し、出力部３４０で出力させる。上述のように、携帯電話機１から連続して映像信号を受信した場合、情報出力制御部３０１は、映像信号入力部３２０が連続して受け付けた映像信号を順次再生する。なお、携帯電話機１からは映像信号に加えて、映像信号に基づく再生が可能な状態に切替えるための入力切替、音量、画質設定などを指示するコマンドが送信されてもよく、そのようなコマンドを受け付けると、映像信号入力部３２０は該コマンドに従って再生する。
【００４０】
また、情報出力制御部３０１は予め携帯電話機１からの映像信号の送信を停止する理由を示したコマンドに対応させて報知に用いるデータを記憶している。そして、制御信号入力部３１０でかかるコマンドを受信すると、上記報知情報に基づいた表示を出力部３４０で出力させる。かかる表示は、たとえばテロップなどが該当する。情報出力制御部３０１は、かかるコマンドを受信した際には、映像信号入力部３２０での映像信号の受信が停止した後も報知情報に基づく表示を維持する。なお、報知は表示によるものに限定されず、音等、他の出力形態であってもよい。
【００４１】
映像信号入力部３２０での映像信号の受信が停止すると、情報出力制御部３０１はその旨を示す信号をＴＶ出力制御部３０２に入力することで、映像信号の再生がＴＶ信号の再生に切替えられ、出力部３４０での表示がＴＶ画面に切替えられてもよい。または、このような切替えはユーザ設定によってなされるものであってもよい。なお、その場合であっても、情報出力制御部３０１は、好ましくは、予め規定された時間、または当該表示の終了を指示する操作信号が入力されるまで、上記報知情報に基づく表示をＴＶ画面に重ねて行なう。
【００４２】
また、このとき情報出力制御部３０１はＴＶ３に対して、外部からの入力がＯＦＦされることに連動して電源をＯＦＦとしないこと、または電源ＯＦＦまでの時間を延長すること、を指定するコマンドを送信してもよい。そのようにすることで、ＴＶ３が外部からの入力がＯＦＦされることに連動して電源がＯＦＦされる機能を備えたＡＶ出力機器である場合であっても、上記報知がなされる時間を確保することが可能になる。
【００４３】
なお、図３は、本実施の形態にかかる機能を説明するためにＴＶの機能を簡略化したものである。したがって、ＴＶ３は、たとえば通信機能などの、図３に表わされた以外の機能を含んでいてもよい。
【００４４】
また、以降の説明では説明の簡便上、映像信号が映像のみを含むものとしている。そのため、図２では携帯電話機１が映像信号出力部１５０を備え、図３ではＴＶ３が映像信号入力部３２０を備えているものとしている。しかしながら、先述のように映像信号には音声が含まれてもよいため、当然に、携帯電話機１は音声信号出力部を備え、ＴＶ３は音声信号入力部を備えてよい。
【００４５】
図４は、本実施の形態にかかるＡＶ出力システムでの処理の流れの具体例を示す図である。図４に表わされた処理は、携帯電話機１の入力部１１０がＴＶ３で映像信号を再生させることを指示する操作入力を受け付けると開始される処理であって、それぞれのＣＰＵがメモリに記憶されているプログラムを実行して図２、３に表わされた各部を機能させることによって実現される。
【００４６】
図４を参照して、入力部１１０でＴＶ３で映像信号を再生させることを指示する操作入力を受け付けると、携帯電話機１はＴＶ３で映像を出力するための処理を実行する（ステップＳ１０）。具体的には、映像信号出力部１５０から指定された映像信号が通信回路５ＡでＴＶ３に対して出力される。
【００４７】
ＴＶ３は映像信号を受信すると、受信したコマンドに従ってその再生を行ない、出力部３４０に映像を出力する（ステップＳ５０）。この例では、連続して映像信号が携帯電話機１から出力されて、ＴＶ３では連続的に映像信号の再生が行なわれる。
【００４８】
映像信号の送信中に携帯電話機１で通話の着信が検出されると（ステップＳ１２）、携帯電話機１は着信処理を実行する（ステップＳ１４）。具体的には、制御信号出力部１４０から、通信状態移行の理由として通話着信を表わすコマンドが通信回路５ＢでＴＶ３に対して出力される。
【００４９】
このコマンドを受信することで、ＴＶ３は、たとえば出力部３４０に映像再生の停止の理由を記載したテロップを表示する、などの、再生を停止する理由を報知するための処理を実行する（ステップＳ６２）。これにより、ＴＶ３の出力部３４０で再生の停止が報知される。
【００５０】
その後、携帯電話機１は映像信号の出力を停止する（ステップＳ１６）。携帯電話機１は映像信号の出力を停止した後に、表示部１６０に通話着信を報知する画面を表示する（ステップＳ１８）。
【００５１】
携帯電話機１からの映像信号の出力が停止することにより、ＴＶ３は携帯電話機１から出力された映像の表示を停止する（ステップＳ５４）。このとき、ＴＶ３の出力部３４０の画面は暗転してもよいし、他の例として予め規定されたチャンネルまたは携帯電話機１から出力された映像の再生以前のチャンネルのＴＶ信号が再生されてもよい。また、さらに他の例として、映像の再生以前の音量や画質設定として再生が再開されてもよい。映像の再生以前のＴＶ信号を再生したり音量や画質設定に戻したりすることは、ＴＶ３で自動的になされてもよいし、携帯電話機１からＴＶ３に対してコマンドで指示され、それに従ってＴＶ３でなされてもよい。この場合であっても、ＴＶ３の情報出力制御部３０１は、再生の停止を報知する表示を出力部３４０に出力し続ける。なお、ＴＶ３は、上記報知の際には電源をＯＦＦとしない、または電源ＯＦＦまでの時間を延長するまでの時間を延長する機能を備えてもよい。この機能を備えることにより、ＴＶ３が外部からの入力がＯＦＦされることに連動して電源がＯＦＦされる機能を備えたＡＶ出力機器である場合であっても、上記報知がなされる時間を確保することが可能になる。
【００５２】
通信回路５Ｂが維持された状態（たとえば通信ケーブルが接続された状態）において携帯電話機１において通話の終了が検出されると（ステップＳ２０）、携帯電話機１は制御信号出力部１４０の出力状態を待機状態または停止（ＯＦＦ）状態からＯＮ状態に移行し、通話の終了を表わすコマンドをＴＶ３に対して出力する。かかるコマンドを受信したＴＶ３の情報出力制御部３０１は、出力部３４０で出力していた再生の停止の報知を終了する（ステップＳ５６）。
【００５３】
その後、携帯電話機１から続きの映像信号と、制御信号出力部１４０から映像がＴＶ３に対して出力される。これにより、ＴＶ３は、出力部３４０での映像の出力を再開する（ステップＳ５８）。なお、携帯電話機１からは映像信号に加えて、入力切替、音量、画質設定などを指示するコマンドが送信されてもよく、そのようなコマンドを受け付けるとＴＶ３は該コマンドに従って再生する。
【００５４】
本実施の形態にかかるＡＶ出力システムでかかる処理が行なわれることによって、携帯電話機１から連続して映像信号を出力してＴＶ３で再生させている最中に通話着信などの映像信号の出力を中断させるイベントが発生した場合であっても、ＴＶ３ではその理由が報知される。この報知は、イベントの発生が検出されたときに携帯電話機１からＴＶ３にその旨を示すコマンドが送信されることによって実現されるものであるため、映像の再生が中断する直前またはそれと同時にＴＶ３からその理由が報知されることになる。なお、上記報知は映像信号の停止の直後になされるものであってもよい。そのため、ユーザが携帯電話機１の表示画面を視聴せずにＴＶ３を視聴していた場合であっても、再生が中断した理由を明快に理解することができる。また、その場合、携帯電話機１にこのようなイベントが発生したことも併せて理解することができ、迅速かつ適切に対処することが可能となる。
【００５５】
なお上の例ではかかる報知が予めコマンドと対応付けた報知データがＴＶ３の情報出力制御部３０１に記憶されていることで実現されるものとしている。そのため、たとえば、携帯電話機１に通話着信があった場合にはその旨を示すコマンドが出力されて、ＴＶ３の出力部３４０に「電話着信あり」などの規定のテロップが表示されることが想定される。また、アラーム時刻になった場合には「アラーム時刻」などの規定のテロップが表示されることが想定される。しかしながら、報知される情報は予めＴＶ３に記憶されている情報のみに限定されるものではない。
【００５６】
他の例として、イベントの具体的な内容もコマンドに含まれ、ＴＶ３でイベントの具体的な内容まで報知されてもよい。たとえば、発生したイベントが通話着信である場合、発信番号を含んだコマンドがＴＶ３に出力されてもよい。この場合、ＴＶ３の情報出力制御部３０１は予め発信番号を組み込んで表示するためのフォーマットとして報知データを記憶しておき、受信したコマンドから読み出した発信番号を組み込んで「発信番号１１１２２２２からの電話着信あり」などのテロップを表示するようにしてもよい。同様に、スケジュールに応じたアラーム時刻となった場合、スケジュールを含んだコマンドがＴＶ３に出力され、「就寝時間」などのテロップを表示するようにしてもよい。このような報知がなされることで、ユーザが携帯電話機１の表示画面を視聴せずにＴＶ３を視聴していた場合であっても、再生が中断した理由をより詳細に理解することができ、迅速かつ適切に対処することが可能となる。
【００５７】
また他の例として、ＴＶ３で携帯電話機１を特定する情報まで報知されてもよい。これは、たとえば図５に表わされたように、ＴＶ３に複数の携帯電話機１Ａ，１Ｂ，１Ｃ…が接続されている場合が想定される。この場合、携帯電話機１から出力されるコマンドに当該携帯電話機を特定する情報が含まれてもよいし、ＴＶ３においてコマンドを受信する際に用いた通信回路に基づいて携帯電話機を特定してもよい。ＴＶ３の情報出力制御部３０１は同様に予め送信元を組み込んで表示するためのフォーマットを記憶しておき、コマンドの受信元を組み込んで「携帯電話機１に電話着信あり」などのテロップを表示するようにしてもよい。このような報知がなされることで、図５に表わされたように、複数のユーザがそれぞれ携帯電話機をＴＶ３に接続して携帯電話機の表示画面を視聴せずにＴＶ３を視聴していた場合であっても、再生が中断した理由がどの携帯電話機のイベントによるものか、またその内容を詳細に理解することができ、迅速かつ適切に対処することが可能となる。
【００５８】
さらに、上の例では、携帯電話機１から連続して映像信号を出力している最中にこのようなイベントが発生したときにＴＶ３で報知されるものとしている。この報知のタイミングの他の例として、たとえば、携帯電話機１とＴＶ３との通信を開始した直後の通信確立時に携帯電話機１からＴＶ３に対して携帯電話機１での報知情報がコマンドとして送信され、それらがＴＶ３で報知されてもよい。報知される情報としては、たとえば、着信があった旨の情報、メール受信した旨の情報、などが該当する。
【００５９】
さらに、上の例では、携帯電話機１からの映像信号の出力が停止する際にその理由を示すコマンドがＴＶ３に対して出力されるものとしている。そして、そのイベントの例として、通話着信やアラーム時刻の検出が挙げられている。しかしながら、携帯電話機１において映像信号が出力されている最中に発生する他のイベントとして、たとえばメール着信や不在着信など、直ちにユーザ操作を必要としないイベントもある。そのため、好ましくはＡＶ出力システムでは、携帯電話機１においてこれらのイベントが発生した場合には、映像信号の出力を停止することなく、映像信号の再生を指示するコマンドと共にこれらイベントが発生したことを示すコマンドがＴＶ３に対して出力される。これにより、ＴＶ３では、たとえば、出力部３４０での映像の表示に重ねてこれらイベントの発生を表わす「メール着信がありました」などテロップを表示するなどして、映像の再生と共にこのイベントを報知することが可能となる。これにより携帯電話機１の表示画面を視聴せずにＴＶ３を視聴しているユーザの利便性を向上させることができる。
【００６０】
なお、以上の例では、ＴＶ３の図示しないＣＰＵがプログラムを実行することによって携帯電話機１から映像信号を中断する理由を報知するコマンドに応じて対応するテロップ等を出力するものとしている。しかしながら、他の例として、ＴＶ３側でのコマンドに対応してテロップ等を表示する処理に替えて、携帯電話機１側で出力する映像信号に映像信号を中断する理由を報知するテロップ等を合成した映像信号を生成した上でＴＶ３に対して出力し、その後に映像信号の出力を停止する処理も考えられる。このようにすることで、ＴＶ３に上のプログラムが含まれていない場合であっても、映像信号が停止する前にその理由が出力部３４０で報知されることになる。
【００６１】
さらに、上述の図４に表わされた処理を、携帯電話機１で実行させるためのプログラムおよびＴＶ３で実行させるためのプログラムを、それぞれ提供することもできる。このようなプログラムは、コンピュータに付属するフレキシブルディスク、ＣＤ−ＲＯＭ（Compact  Disk-Read  Only  Memory）、ＲＯＭ（Read  Only  Memory）、ＲＡＭ（Random  Access  Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６２】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６３】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６４】
提供されるプログラム製品は、ハードディスクなどのプログラム格納部にインストールされて実行される。なお、プログラム製品は、プログラム自体と、プログラムが記録された記録媒体とを含む。
【００６５】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００６６】
１，１Ａ，１Ｂ，１Ｃ  携帯電話機、５Ａ，５Ｂ  通信回路、１００，３００  制御部、１０１，３０１  情報出力制御部、１０２  通信制御部、１０３  アラーム制御部、１０４  読込部、１１０，３５０  入力部、１２０  鳴動部、１３０  通信部、１４０  制御信号出力部、１５０  映像信号出力部、１６０  表示部、３０２  出力制御部、３１０  制御信号入力部、３２０  映像信号入力部、３３０  信号受信部、３４０  出力部。
【図１】
2011138884.tif 000003
【図２】
2011138884.tif 000004
【図３】
2011138884.tif 000005
【図４】
2011138884.tif 000006
【図５】
2011138884.tif 000007
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
ＡＶ出力機器とＡＶ入力機器とを含むＡＶ出力システムであって、
前記ＡＶ出力機器から前記ＡＶ入力機器に対して映像信号と制御信号とを出力するための出力部と、
前記ＡＶ入力機器で前記映像信号を再生して出力するための再生部と、
前記再生部において前記映像信号を再生して得られる画面を表示するためのＡＶ入力機器の表示器と、
前記ＡＶ入力機器の表示器に表示を行なうための第２の制御部と、
前記第２の制御部が前記再生部において前記映像信号を再生して得られる画面を前記表示器に表示させる処理中に前記ＡＶ出力機器で映像信号が出力できない割込みイベントの発生を検出すると、前記ＡＶ出力機器から前記ＡＶ入力機器に対する前記映像信号の出力を停止すると共に前記イベントの発生に対応した制御信号を前記ＡＶ入力機器に対して出力するための第１の制御部と、
前記ＡＶ入力機器で前記イベントの発生に対応した制御信号を受信すると、予め記憶されている前記制御信号に対応した情報を用いて報知するための報知部とを備え、
前記第１の制御部は、前記イベントの発生に対応した制御信号を前記ＡＶ出力機器から前記ＡＶ入力機器に対して出力した後、前記ＡＶ出力機器の前記ＡＶ入力機器に対する映像信号の出力を停止させ、
前記報知部は、前記イベントの発生に対応した制御信号に応じた報知を前記映像信号の再生の停止の後も行ない、
前記第１の制御部は、前記ＡＶ出力機器で前記イベントの処理が完了すると、前記イベントの処理の完了に対応した制御信号を前記ＡＶ出力機器から前記ＡＶ入力機器に対して出力し、
前記報知部は、前記ＡＶ入力機器で前記イベントの処理の完了に対応した制御信号を受信すると前記報知を終了する、ＡＶ出力システム。
【請求項２】
（削除）
【請求項３】
（削除）
【請求項４】
（削除）
【請求項５】
（削除）
【請求項６】
（削除）
【請求項７】
ＡＶ入力機器に対して映像信号を出力するための第１の出力部と、
前記ＡＶ入力機器に対して制御信号を出力するための第２の出力部と、
イベントを処理するための処理部と、
前記第１の出力部での出力および前記第２の出力部での出力を制御するための制御部とを備え、
前記制御部は、
前記第１の出力部で前記ＡＶ入力機器に対して前記映像信号を出力する第１の制御と、
前記第１の制御の実行中に映像信号が出力できない割込みイベントの発生が検出されると、前記第１の制御の実行を停止すると共に前記第２の出力部で前記イベントの発生に対応した制御信号を前記ＡＶ入力機器に対して出力する第２の制御とを実行し、
前記第２の制御においては、前記イベントの発生に対応した前記制御信号を前記ＡＶ入力機器に対して出力した後に前記ＡＶ入力機器に対する映像出力を停止させ、
前記制御部は、前記処理部での前記イベントの処理が完了すると前記イベントの処理の完了に対応した制御信号を前記ＡＶ入力機器に対して出力し、前記停止した前記第１の制御を再開する、ＡＶ出力機器。
【請求項８】
（削除）
【請求項９】
（削除）
【請求項１０】
ＡＶ出力機器から送信される信号を受信するための受信部と、
前記ＡＶ出力機器から受信した制御信号に応じた処理を行なうための制御部と、
前記処理に用いるデータを記憶するためのメモリとを備え、
前記制御部は、
前記ＡＶ出力機器から受信した映像信号を再生して表示器に出力する第１の制御と、
前記第１の制御を実行中に前記ＡＶ出力機器から映像信号が出力できない割込みイベントの発生に対応した制御信号を受信すると、前記制御信号に対応付けて前記メモリに記憶されているデータを用いて報知する第２の制御とを実行し、
前記報知部は、前記イベントの発生に対応した制御信号に応じた報知を前記映像信号の再生の停止の後も行ない、
前記制御部は、前記第２の制御を実行した後に前記ＡＶ出力機器から前記所定のイベントの処理の完了に対応した制御信号を受信すると、前記報知を終了する、ＡＶ入力機器。
【請求項１１】
（削除）
【請求項１２】
ＡＶ出力機器とＡＶ入力機器とを含むＡＶ出力システムでの報知方法であって、
前記ＡＶ出力機器から前記ＡＶ入力機器に対して映像信号と制御信号とを出力するステップと、
前記ＡＶ入力機器で前記映像信号を再生して出力するステップと、
前記映像信号を再生して出力する処理中に前記ＡＶ出力機器で映像信号が出力できない割込みイベントの発生を検出すると、前記ＡＶ出力機器から前記ＡＶ入力機器に対する前記映像信号の出力を停止すると共に前記イベントの発生に対応した制御信号を前記ＡＶ入力機器に対して出力するステップと、
前記イベントの発生に対応した制御信号を前記ＡＶ出力機器から前記ＡＶ入力機器に対して出力した後、前記ＡＶ出力機器の前記ＡＶ入力機器に対する映像信号の出力を停止するステップと、
前記ＡＶ入力機器で前記イベントの発生に対応した制御信号を受信すると、予め記憶されている前記制御信号に対応した情報を用いて報知するステップとを備え、
前記報知するステップは、前記イベントの発生に対応した制御信号に応じた報知を前記映像信号の再生の停止の後も行ない、
前記ＡＶ出力機器で前記イベントの処理が完了すると、前記イベントの処理の完了に対応した制御信号を前記ＡＶ出力機器から前記ＡＶ入力機器に対して出力するステップと、
前記ＡＶ入力機器で前記イベントの処理の完了に対応した制御信号を受信すると前記報知を終了するステップとをさらに備える、報知方法。
【手続補正書】
【提出日】平成24年9月19日(2012.9.19)
【手続補正１】
【補正対象書類名】特許請求の範囲
【補正対象項目名】全文
【補正方法】変更
【補正の内容】
【特許請求の範囲】
【請求項１】
ＡＶ出力機器とＡＶ入力機器とを含むＡＶ出力システムであって、
前記ＡＶ出力機器から前記ＡＶ入力機器に対して映像信号と制御信号とを出力するための出力部と、
前記ＡＶ入力機器で前記映像信号を再生して出力するための再生部と、
前記再生部において前記映像信号を再生して得られる画面を表示するためのＡＶ入力機器の表示器と、
前記ＡＶ入力機器の表示器に表示を行なうための第１の制御部と、
前記第１の制御部が前記再生部において前記映像信号を再生して得られる画面を前記表示器に表示させる処理中に前記ＡＶ出力機器で映像信号が出力できない割込みイベントの発生を検出すると、前記ＡＶ出力機器から前記ＡＶ入力機器に対する前記映像信号の出力を停止すると共に前記イベントの発生に対応した制御信号を前記ＡＶ入力機器に対して出力するための第２の制御部と、
前記ＡＶ入力機器で前記イベントの発生に対応した制御信号を受信すると、予め記憶されている前記制御信号に対応した情報を用いて報知するための報知部とを備え、
前記第２の制御部は、前記イベントの発生に対応した制御信号を前記ＡＶ出力機器から前記ＡＶ入力機器に対して出力した後、前記ＡＶ出力機器の前記ＡＶ入力機器に対する映像信号の出力を停止させ、
前記報知部は、前記イベントの発生に対応した制御信号に応じた報知を前記映像信号の再生の停止の後も行ない、
前記第２の制御部は、前記ＡＶ出力機器で前記イベントの処理が完了すると、前記イベントの処理の完了に対応した制御信号を前記ＡＶ出力機器から前記ＡＶ入力機器に対して出力し、
前記報知部は、前記ＡＶ入力機器で前記イベントの処理の完了に対応した制御信号を受信すると前記報知を終了する、ＡＶ出力システム。
【請求項２】
ＡＶ入力機器に対して映像信号を出力するための第１の出力部と、
前記ＡＶ入力機器に対して制御信号を出力するための第２の出力部と、
イベントを処理するための処理部と、
前記第１の出力部での出力および前記第２の出力部での出力を制御するための制御部とを備え、
前記制御部は、
前記第１の出力部で前記ＡＶ入力機器に対して前記映像信号を出力する第１の制御と、
前記第１の制御の実行中に映像信号が出力できない割込みイベントの発生が検出されると、前記第１の制御の実行を停止すると共に前記第２の出力部で前記イベントの発生に対応した制御信号を前記ＡＶ入力機器に対して出力する第２の制御とを実行し、
前記第２の制御においては、前記イベントの発生に対応した前記制御信号を前記ＡＶ入力機器に対して出力した後に前記ＡＶ入力機器に対する映像出力を停止させ、
前記制御部は、前記処理部での前記イベントの処理が完了すると前記イベントの処理の完了に対応した制御信号を前記ＡＶ入力機器に対して出力し、前記停止した前記第１の制御を再開する、ＡＶ出力機器。
【請求項３】
ＡＶ出力機器から送信される信号を受信するための受信部と、
前記ＡＶ出力機器から受信した制御信号に応じた処理を行なうための制御部と、
前記処理に用いるデータを記憶するためのメモリとを備え、
前記制御部は、
前記ＡＶ出力機器から受信した映像信号を再生して表示器に出力する第１の制御と、
前記第１の制御を実行中に前記ＡＶ出力機器から映像信号が出力できない割込みイベントの発生に対応した制御信号を受信すると、前記制御信号に対応付けて前記メモリに記憶されているデータを用いて報知する第２の制御とを実行し、
前記報知部は、前記イベントの発生に対応した制御信号に応じた報知を前記映像信号の再生の停止の後も行ない、
前記制御部は、前記第２の制御を実行した後に前記ＡＶ出力機器から前記イベントの処理の完了に対応した制御信号を受信すると、前記報知を終了する、ＡＶ入力機器。
【請求項４】
ＡＶ出力機器とＡＶ入力機器とを含むＡＶ出力システムでの報知方法であって、
前記ＡＶ出力機器から前記ＡＶ入力機器に対して映像信号と制御信号とを出力するステップと、
前記ＡＶ入力機器で前記映像信号を再生して出力するステップと、
前記映像信号を再生して出力する処理中に前記ＡＶ出力機器で映像信号が出力できない割込みイベントの発生を検出すると、前記ＡＶ出力機器から前記ＡＶ入力機器に対する前記映像信号の出力を停止すると共に前記イベントの発生に対応した制御信号を前記ＡＶ入力機器に対して出力するステップと、
前記イベントの発生に対応した制御信号を前記ＡＶ出力機器から前記ＡＶ入力機器に対して出力した後、前記ＡＶ出力機器の前記ＡＶ入力機器に対する映像信号の出力を停止するステップと、
前記ＡＶ入力機器で前記イベントの発生に対応した制御信号を受信すると、予め記憶されている前記制御信号に対応した情報を用いて報知するステップとを備え、
前記報知するステップは、前記イベントの発生に対応した制御信号に応じた報知を前記映像信号の再生の停止の後も行ない、
前記ＡＶ出力機器で前記イベントの処理が完了すると、前記イベントの処理の完了に対応した制御信号を前記ＡＶ出力機器から前記ＡＶ入力機器に対して出力するステップと、
前記ＡＶ入力機器で前記イベントの処理の完了に対応した制御信号を受信すると前記報知を終了するステップとをさらに備える、報知方法。
【国際調査報告】
2011138884.tif 000008
2011138884.tif 000009
2011138884.tif 000010